(57)【要約】【課題】  装置内の基準信号を自動で切り替えるものであって切り替えによって測定結果に影響を及ぼすことがなく、基準信号の切替を外部に知らせることができる測定器を提供する。【解決手段】  判定回路１２が、レベル検出器１１で検出された外部基準信号のレベルを判定して切替器１４への切替信号を出力すると共に、切替器１４の状態を判別し、基準信号が切り替えられた時に、測定開始前であれば、切り替えられた基準信号で測定部１９に測定を行わせ、測定開始後であれば、基準信号を切り替えた旨の切替メッセージと再測定を行う旨の再測定メッセージを出力し、切り替えられた基準信号で測定部１９に再測定を行わせる測定器である。【選択図】        図１
2012173083.tif 000002
【特許請求の範囲】
【請求項１】
外部基準信号のレベルを検出するレベル検出回路と、内部基準信号を発生する内部基準信号発生器と、装置内で使用する基準信号として外部基準信号又は内部基準信号のいずれかを選択する切替器と、前記切替器で選択された装置内で使用する基準信号に基づいて測定を行う測定部と、前記レベル検出器で検出された外部基準信号のレベルを判定して前記切替器への切替信号を出力する判定回路とを備える測定器であって、
前記判定回路は、前記切替器の状態を判別し、基準信号が切り替えられた時に、測定開始前であれば、切り替えられた基準信号で前記測定部に測定を行わせ、測定開始後であれば、基準信号を切り替えた旨の切替メッセージと再測定を行う旨の再測定メッセージを出力し、切り替えられた基準信号で前記測定部に再測定を行わせることを特徴とする測定器。
【請求項２】
判定回路は、基準信号が切り替えられた時に、測定開始前でも、基準信号を切り替えた旨の切替メッセージを出力することを特徴とする請求項１記載の測定器。
【請求項３】
測定部が、複数回の測定結果を記憶する場合に、判定回路は、切替メッセージと再測定メッセージを前記測定部に記憶させることを特徴とする請求項１又は２記載の測定器。
【請求項４】
測定部は、記憶した測定結果、切替メッセージと再測定メッセージを出力可能としたことを特徴とする請求項３記載の測定器。
【発明の詳細な説明】
【技術分野】
【０００１】
本発明は、測定器に係り、特に、装置内の基準信号が内部又は外部に切り替わった場合でも、測定結果に影響を与えることがない測定器に関する。
【背景技術】
【０００２】
［従来の技術］
従来の測定器は、測定対象に対して装置内の基準信号を入力し、測定対象からの出力を測定するものである。
そして、その基準信号は、ルビジューム等を用いた外部の発振器から出力された外部基準信号を基に生成したもの、または、ＴＣＸＯ、ＯＣＸＯ等の内部の発振器から出力された内部基準信号を基に生成したものが用いられる。
装置内の基準信号の選択は、操作部を操作して手動で切り替える場合と、外部基準信号が入力された場合に当該入力を検出して自動に切り替える場合がある。
【０００３】
［関連技術］
尚、関連する先行技術として、特開平０９−３１１０５２号公報「測定値交換器の種々の動作モード間を切り換える装置と方法」（ドクトル・ヨハネス・ハイデンハイン・ゲゼルシャフト・ミット・ベシユレンクテル・ハフツング）［特許文献１］、特開２００９−０５５１８２号公報「基準信号切換回路」（株式会社日立国際電気）［特許文献２］、特開２００９−１２４６００号公報「発振周波数制御回路」（日本電波工業株式会社）［特許文献３］がある。
【０００４】
特許文献１には、少なくとも一つの信号伝送導線に出力する信号を所定の基準信号と比較して、動作モードを識別する比較ユニットを設け、比較ユニットに対する基準信号を測定値変換器に付属する発振回路により発生させ、または、外部基準信号を処理ユニットを介して導入することが示されている。
【０００５】
特許文献２には、基準信号切換回路において、外部基準信号の有無を検出し、外部基準信号のレベル変動及び瞬断の場合に、タイミングをカウントして基準信号を切り替えることが示されている。
【０００６】
特許文献３には、発振周波数制御回路において、外部基準信号レベルの検波電圧が温度特性に応じた適正範囲内であれば外部基準同期モードとし、適正範囲外であれば固定電圧モードとし、ループフィルタへの出力を選択スイッチで切り替えるＣＰＵを有することが示されている。
【先行技術文献】
【特許文献】
【０００７】
【特許文献１】特開平０９−３１１０５２号公報
【特許文献２】特開２００９−０５５１８２号公報
【特許文献３】特開２００９−１２４６００号公報
【発明の概要】
【発明が解決しようとする課題】
【０００８】
しかしながら、上記従来の測定器では、装置内の基準信号の切り替えを手動で行う場合は煩雑であり、選択しなければ外部基準信号に切り替わらないものであり、自動の場合は測定中に切り替わってしまい、測定結果に影響を及ぼすことになるという問題点があった。
【０００９】
本発明は上記実情に鑑みて為されたもので、装置内の基準信号を自動で切り替えるものであって切り替えによって測定結果に影響を及ぼすことがなく、基準信号の切替を外部に知らせることができる測定器を提供することを目的とする。
【課題を解決するための手段】
【００１０】
上記従来例の問題点を解決するための本発明は、外部基準信号のレベルを検出するレベル検出回路と、内部基準信号を発生する内部基準信号発生器と、装置内で使用する基準信号として外部基準信号又は内部基準信号のいずれかを選択する切替器と、切替器で選択された装置内で使用する基準信号に基づいて測定を行う測定部と、レベル検出器で検出された外部基準信号のレベルを判定して切替器への切替信号を出力する判定回路とを備える測定器であって、判定回路は、切替器の状態を判別し、基準信号が切り替えられた時に、測定開始前であれば、切り替えられた基準信号で測定部に測定を行わせ、測定開始後であれば、基準信号を切り替えた旨の切替メッセージと再測定を行う旨の再測定メッセージを出力し、切り替えられた基準信号で測定部に再測定を行わせることを特徴とする。
【００１１】
本発明は、上記測定器において、判定回路が、基準信号が切り替えられた時に、測定開始前でも、基準信号を切り替えた旨の切替メッセージを出力することを特徴とする。
【００１２】
本発明は、上記測定器において、測定部が、複数回の測定結果を記憶する場合に、判定回路が、切替メッセージと再測定メッセージを前記測定部に記憶させることを特徴とする。
【００１３】
本発明は、上記測定器において、測定部が、記憶した測定結果、切替メッセージと再測定メッセージを出力可能としたことを特徴とする。
【発明の効果】
【００１４】
本発明によれば、外部基準信号のレベルを検出するレベル検出回路と、内部基準信号を発生する内部基準信号発生器と、装置内で使用する基準信号として外部基準信号又は内部基準信号のいずれかを選択する切替器と、切替器で選択された装置内で使用する基準信号に基づいて測定を行う測定部と、レベル検出器で検出された外部基準信号のレベルを判定して切替器への切替信号を出力する判定回路とを備え、判定回路が、切替器の状態を判別し、基準信号が切り替えられた時に、測定開始前であれば、切り替えられた基準信号で測定部に測定を行わせ、測定開始後であれば、基準信号を切り替えた旨の切替メッセージと再測定を行う旨の再測定メッセージを出力し、切り替えられた基準信号で測定部に再測定を行わせる測定器としているので、装置内の基準信号を自動で切り替えても、測定結果に影響を及ぼすことがなく、基準信号の切替を外部に知らせることができる効果がある。
【図面の簡単な説明】
【００１５】
【図１】本発明の実施の形態に係る測定器の構成ブロック図である。
【図２】本測定器の判定回路の制御処理を示すフローチャートである。
【発明を実施するための形態】
【００１６】
本発明の実施の形態について図面を参照しながら説明する。
［実施の形態の概要］
本発明の実施の形態に係る測定器は、レベル検出回路が外部基準信号のレベルを検出し、内部基準信号発生器が内部基準信号を発生し、切替器が装置内で使用する基準信号として外部基準信号又は内部基準信号のいずれかを選択し、測定部が切替器で選択された装置内で使用する基準信号に基づいて測定を行い、判定回路が、レベル検出器で検出された外部基準信号のレベルを判定して切替器への切替信号を出力すると共に、切替器の状態を判別し、基準信号が切り替えられた時に、測定開始前であれば、切り替えられた基準信号で測定部に測定を行わせ、測定開始後であれば、基準信号を切り替えた旨の切替メッセージと再測定を行う旨の再測定メッセージを出力し、切り替えられた基準信号で測定部に再測定を行わせるものであり、装置内の基準信号を自動で切り替えても、測定結果に影響を及ぼすことがなく、基準信号の切替を外部に知らせることができるものである。
【００１７】
［本測定器：図１］
本発明の実施の形態に係る測定器（本測定器）について図１を参照しながら説明する。図１は、本発明の実施の形態に係る測定器の構成ブロック図である。
本測定器１は、図１に示すように、被測定器（ＤＵＴ：Device Under Test）２を測定するものであり、外部入力端子１０と、レベル検出回路１１と、判定回路１２と、内部発振器１３と、切替器１４と、装置内発振器１５と、増幅器１６，１７と、ミキサ１８と、測定部１９と、外部出力端子（１）２０ａと、外部出力端子（２）２０ｂとを備えている。
【００１８】
［各部］
外部入力端子１０は、ルビジューム等を用いた発振器からの外部基準信号を入力する。
レベル検出回路１１は、外部入力端子１０から入力される外部基準信号のレベルを検出し、検出結果を判定回路１２に出力する。
【００１９】
判定回路１２は、レベル検出回路１１から入力される外部基準信号のレベルを判定し、外部基準信号が変化した場合は、切替器１４に外部基準信号又は内部発振器１３からの内部発振信号を選択するよう切替指示を出力する。切替指示は、判定回路１２の内部メモリに記憶し、切替器１４の接続状態を認識する。
また、判定回路１２は、測定部１９での測定が開始していれば、外部出力端子２０ｂ及び測定部１９に基準信号が変化したことを示す切替メッセージと、再測定のメッセージを出力する。
また、判定回路１２は、測定開始前でも外部出力端子２０ｂ及び測定部１９に切替メッセージを出力してもよい。
尚、判定回路１２は、マイコン、ＦＰＧＡ（Field Programmable Gate Array）、ハード制御等で構成される制御回路である。
【００２０】
内部発振器１３は、温度補償水晶発振器（ＴＣＸＯ：Temperature Compensated Crystal Oscillator）、恒温槽付水晶発振器（ＯＣＸＯ：Oven Controlled Crystal Oscillator）等の発振器である。
切替器１４は、判定回路１２からの切替指示に従い、外部基準信号又は内部発振器１３の内部発振信号を選択する。
【００２１】
装置内発振器１５は、切替器１４から出力される信号に基づいて発振信号を出力する発振器であり、その発振信号は増幅器１６とミキサ１８に出力される。
増幅器１６は、装置内発振器１５からの発振信号を増幅してＤＵＴ２に出力する。
増幅器１７は、ＤＵＴ２からの信号を増幅し、ミキサ１８に出力する。
ミキサ１８は、増幅器１７から出力と装置内発振器１５からの発振信号を合成し、測定部１９に出力する。
【００２２】
測定部１９は、ミキサ１８からの出力を測定し、測定結果を内部メモリに複数記憶すると共に外部出力端子（１）２０ａに出力する。
また、測定部１９は、判定回路１２からの切替メッセージと再測定のメッセージを測定結果に対応付けて内部メモリに記憶する。内部メモリに記憶した測定結果と切替メッセージ、再測定のメッセージは、図示していない操作部からの指示で外部出力可能である。
【００２３】
外部出力端子（１）２０ａは、測定部１９からの測定結果が出力される。外部出力端子２０ａに表示装置を接続すれば、測定結果を表示出力できる。また、測定部１９の内部メモリに記憶された測定結果、切替メッセージ、再測定のメッセージも外部出力端子（１）２０ａに出力可能である。
外部出力端子（２）２０ｂは、判定回路１２から出力される切替メッセージ、再測定のメッセージが出力される。外部出力端子２０ｂに表示装置を接続すれば、切替メッセージ、再測定のメッセージを表示出力できる。
【００２４】
［判定回路の制御フロー：図２］
次に、本測定器の判定回路１２の制御フローについて図２を参照しながら説明する。図２は、本測定器の判定回路の制御処理を示すフローチャートである。
判定回路１２は、切替器１４のスイッチの接続状態を把握する（Ｓ１）。つまり、切替器１４で外部基準信号を選択しているのか、内部発振器１３の内部基準信号を選択しているのかを認識し、判定回路１２内のメモリに記憶する。
【００２５】
そして、レベル検出回路１１から入力される外部基準信号のレベルを判定し、外部基準信号の状態が変化したか否かを判定する（Ｓ２）。基準信号の状態が変化していなければ（Ｎｏの場合）、現状の基準信号を保持する（Ｓ３）。
【００２６】
具体的には、外部基準信号が選択されている状態（外部基準信号が正常な場合）で、外部基準信号が変化していなければ、切替器１４の状態をそのままとする。また、内部基準信号が選択されている状態（外部基準信号が断又は異常な場合）で、外部基準信号が変化していなければ（外部基準信号が断等のままであれば）、切替器１４の状態をそのままとする。
【００２７】
判定処理Ｓ２で、外部基準信号の状態が変化した場合（Ｙｅｓの場合）、次に、測定部１９での測定が開始される前であるか否かを判定する（Ｓ４）。
尚、外部基準信号の状態が変化した場合とは、具体的には、外部基準信号が選択されている状態（外部基準信号が正常な場合）では、外部基準信号が断又は異常な状態になった場合であり、内部基準信号が選択されている状態（外部基準信号が断又は異常な場合）では、外部基準信号が正常な状態になった場合である。
【００２８】
そして、判定処理Ｓ４で、測定開始前であれば（Ｙｅｓの場合）、基準信号の切替を行い（Ｓ５）、測定部１９で測定を行わせる（Ｓ６）。
ここで、基準信号の切替は、外部基準信号が選択されている状態では、内部基準信号を選択するように切替を行い、内部基準信号が選択されている状態では、外部基準信号を選択するように切替を行う。
【００２９】
また、判定処理Ｓ４で、測定開始前でなければ（Ｎｏの場合）、基準信号の切替を行い（Ｓ７）、切替メッセージを外部出力端子（２）２０ｂに出力し、当該端子に接続する表示装置に当該切替メッセージを表示させ（Ｓ８）、測定部１９で再測定を行わせる（Ｓ９）。基準信号の切替は、上記と同様である。
【００３０】
［実施の形態の効果］
本測定器によれば、外部基準信号の状態によって判定回路１２が切替器１４を制御して外部基準信号又は内部基準信号を選択するようになっているので、基準信号の切替忘れを防止できると共に、測定中の基準信号の切替があれば、再測定を行うようにしているので、測定結果の影響を防止することができる効果がある。
【００３１】
また、本測定器によれば、基準信号が切り替えられたことを、再測定を行うことがメッセージで出力されるので、使用されている基準信号、測定状況を容易に報知できる効果がある。
尚、本測定器は、例えば、ネットワークアナライザ等で伝送特性を測定するのに用いられる。
【産業上の利用可能性】
【００３２】
本発明は、装置内の基準信号を自動で切り替えるものであって切り替えによって測定結果に影響を及ぼすことがなく、基準信号の切替を外部に知らせることができる測定器に好適である。
【符号の説明】
【００３３】
１...測定器、  ２...被測定器（ＤＵＴ）、  １０...外部入力端子、  １１...レベル検出回路、  １２...判定回路、  １３...内部発振器、  １４...切替器、  １５...装置内発振器、  １６...増幅器、  １７...増幅器、  １８...ミキサ、  １９...測定部、  ２０ａ...外部出力端子（１）、  ２０ｂ...外部出力端子（２）
【図１】
2012173083.tif 000003
【図２】
2012173083.tif 000004